(57)【特許請求の範囲】
【請求項１】
フード体１１内に送風機１２を取付け、このフード体１１の上部にマイナスイオン生成器１４を取付け、
前記マイナスイオン生成器１４が発生したマイナスイオンを、フード体１１に向けて案内する下向き姿勢とほぼ水平に向けて案内する水平姿勢とに揺動する案内羽根２０を設けたことを特徴とするレンジフード。
【請求項２】
前記案内羽根２０を駆動する電動モータ２６と送風機用電動モータ３４を連動制御してレンジフード運転時には案内羽根２０が下向き姿勢、レンジフード停止時には案内羽根２０が水平姿勢となるようにした請求項１記載のレンジフード。
【発明の詳細な説明】
【０００１】
【発明の属する技術分野】
本発明は、台所の調理器具の上に取付けられて調理時に発生する煙、オイルミスト等を捕集して屋外に排出するレンジフードに関する。
【０００２】
【従来の技術】
フード体に送風機を取付け、送風機を駆動することで調理時に発生する煙、オイルミスト等を吸い込み、排出ダクトで屋外に排出するレンジフードが知られている。
【０００３】
【発明が解決しようとする課題】
従来からレンジフードを設計、製作する際には、煙、オイルミスト等を効率良く捕集して排出するための改良が実施されているが、空気中に浮遊している帯電（＋，−）粒子であるイオンについては全く考慮されていなかった。
【０００４】
本発明者等が台所のイオンについて鋭意研究、実験したところ、次のことが判明した。
【０００５】
▲１▼台所はガスレンジ等の燃焼式の調理器具の使用により燃焼ガス（酸化ガス）が大量に発生し、環境が悪い上、熱の発生に伴いその周辺はプラスイオン優位の状態となる。このために台所作業者が前述の状態の中で長時間調理などの作業をすると、室内空気のプラスイオン化に伴っての精神障害（めまい、イライラ等）を発生する恐れがある。特に台所作業者は調理器具近傍での作業、刃物を持っての作業が主となるので、突然のめまい等の症状があらわれた場合、非常に危険である。
【０００６】
▲２▼調理により発生したオイルミストは、台所内のプラスイオンの空気に触れるにつれプラスイオン化、または酸化される。特に発生直後のオイルミストは熱をもっており、通常の酸化現象よりも一層反応が速くなる。このために台所の様々な場所（特に調理器具周辺、レンジフード）にオイルミストの付着で生じた油は酸化により粘性が変化（酸化大  ベタベタで堅くなる）し、清掃性を悪化させる原因の１つとなる。
【０００７】
上述のことに鑑み本発明者等が鋭意研究、実験したところ、レンジフードの周囲にマイナスイオンを発生することで前述の▲１▼，▲２▼を解消できることを見出した。
【０００８】
【課題を解決するための手段】
第１の発明は、フード体１１内に送風機１２を取付け、このフード体１１の上部にマイナスイオン生成器１４を取付け、
前記マイナスイオン生成器１４が発生したマイナスイオンを、フード体１１に向けて案内する下向き姿勢とほぼ水平に向けて案内する水平姿勢とに揺動する案内羽根２０を設けたことを特徴とするレンジフードである。
【００１０】
第２の発明は、第１の発明における前記案内羽根２０を駆動する電動モータ２６と送風機用電動モータ３４を連動制御してレンジフード運転時には案内羽根２０が下向き姿勢、レンジフード停止時には案内羽根２０が水平姿勢となるようにしたレンジフードである。
【００１１】
【作    用】
第１の発明によれば、フード体１１の周囲にマイナスイオンが放出され、フード体１１の周囲の空気がマイナスイオン優位の状態となる。
【００１２】
これによって、フード体１１の周囲、つまり台所作業者の作業範囲が人体に良い影響を与える環境となるので、台所作業者は常に環境の良い場所で作業することが可能となる。
【００１３】
また、調理時に発生したオイルミストがマイナスイオンと結合して油の粘性を変化しなくなるので、調理器具、レンジフードにオイルミストが付着して生じた油が固着せずに簡単に除去できる。
【００１４】
また、浮遊するプラスイオン化された塵、埃等がマイナスイオンと結合し、その塵、埃等が浮遊状態を維持できずに落下して床に溜る。
【００１５】
これによって、台所作業者が呼吸によって塵、埃等を体内に取り入れることがなく、安心して作業できる。
【００１６】
また、案内羽根２０を下向き姿勢とすることでマイナスイオンがフード体１１に向けて流れ、フード体１１内に効率良くマイナスイオンを吸い込みされるので、レンジフード内部にオイルミスト付着で生じた油を容易に清掃できる。
【００１７】
また、案内羽根２０を水平姿勢とすることでマイナスイオンがほぼ水平に流れて台所空間全域に亘って放出され、台所空間全域がマイナスイオンが優位な状態となる。
【００１８】
したがって、レンジフード使用時にはマイナスイオンをフード体１１内に効率良く吸い込みさせてレンジフード内部のオイルミスト付着による油を容易に清掃できるし、レンジフード未使用時には台所空間全域が良い環境となり居住者にとって好ましい。
【００１９】
第２の発明によれば、レンジフードの運転、停止によって案内羽根２０が連動して下向き姿勢、水平姿勢となるから、その操作が簡単となる。
【００２０】
【発明の実施の形態】
図１に示すように、燃焼式の調理器具１の上にレンジフード１０が取付けてある。このレンジフード１０はフード体１１の内部に送風機１２を設けたものであり、そのフード体１１の上面１１ａに平面コ字状の幕板１３を取付け、その幕板１３の裏面側にマイナスイオン生成器１４を取付けてある。
【００２１】
マイナスイオン生成器１４は図１に示すようにマイナスイオン（−）を天井１５とほぼ平行として図２に示す幕板１３の吹出口１６から台所空間内に吹き出すものである。
【００２２】
このようであるから、調理器具１の使用により大量に発生したプラスイオン（＋）の上に多量のマイナスイオン（−）が発生するので、台所空間、特にフード体１１、調理器具１周囲の空間がマイナスイオン（−）優位の状態、つまり、人体に良い影響を与える状態に保たれる。
【００２３】
したがって、台所作業者は常に良い環境の中で作業することが可能となり、台所作業者が精神障害（めまい、イライラ等）を起こすことがなく、安全に調理などの作業を行なうことができる。
【００２４】
また、プラスイオン化されたオイルミストがマイナスイオンと結合して、マイナスイオン化するので、オイルミストの発生直後からプラスイオン化（酸化）の進行を抑制し、油の粘性を変化させない（サラサラの状態）ようにすることができ、調理器具１やフード体１１の清掃時にオイルミスト付着で生じた油が固着せずに簡単に除去でき、清掃が容易となる。
【００２５】
また、台所空間に浮遊するプラスイオン化した塵、埃等がマイナスイオンと結合する。これにより、浮遊していた塵、埃のバランス、浮遊状態を維持できずに落下するため床面１７に溜る。このことにより床面１７に塵は溜るものの、作業者は呼吸により塵、埃を体内に取り入れる心配がないので安心して作業できる。なお、床面１７は汚れるが、拭くことで清掃できるので問題はない。
【００２６】
次に、本発明を詳細に説明する。
図３に示すように、幕板１３の吹出口１６に複数の案内羽根２０を取付ける。この案内羽根２０は電動モータによって図４（ａ）に示すように水平姿勢と、図４（ｂ）に示すように下向き姿勢とに亘って上下揺動される。
【００２７】
例えば、図５に示すように各案内羽根２０を横向きピン２１で上下揺動自在に支承し、各案内羽根２０を作動杆２２で連結し、その作動杆２２の長溝２３に、アーム２４に設けたピン２５を摺動自在に嵌合し、そのアーム２４を電動モータ２６の回転軸２７に連結して、電動モータ２６を正・逆駆動することで作動杆２２が上下動して案内羽根２０が上下に揺動するようにしてある。なお、ラック、ピニオン等を用いて案内羽根２０を上下に揺動しても良い。
【００２８】
図３に示すように、レンジフード１０のフード体１１には操作パネル３０が設けてあり、この操作パネル３０には図６に示すように運転スイッチ３１、停止スイッチ３２等が設けてある。この運転スイッチ３１、停止スイッチ３２の操作信号はコントローラ３３に送られ、そのコントローラ３３が送風機用電動モータ３４と前記電動モータ２６を駆動制御する。
【００２９】
具体的には、運転スイッチ３１をＯＮすれば送風機用電動モータ３４が駆動すると共に、電動モータ２６が正転駆動して案内羽根２０が下向き姿勢となる。停止スイッチ３２をＯＮすれば送風機用電動モータ３４が停止すると共に、電動モータ２６が逆転駆動して案内羽根２０が水平姿勢となる。
【００３０】
このようであるから、送風機用電動モータ３４を駆動してレンジフード１０を運転している時には案内羽根２０が下向き姿勢となる。これによって、マイナスイオン生成器１４の発生したマイナスイオン（−）は図３に示すように案内羽根２０によって下向きに流れ、フード体１１の前面に沿って下方に放出されるので、そのマイナスイオン（−）はフード体１１に効率良く吸い込まれる。
【００３１】
したがって、調理により発生し上昇してくるオイルミストとの結合が促進され、レンジフード１０のフード体１１内面、送風機（レンジフード内部）に付着する油をより一層マイナスイオン化させることが可能となり、付着した油の粘性変質を妨げて清掃を容易とする。
【００３２】
停止スイッチ３２をＯＮして送風機用電動モータ３４を停止しレンジフード１０を停止すると、案内羽根２０が水平姿勢となる。これによって、マイナスイオン生成器１４が発生したマイナスイオンは案内羽根２０に沿ってほぼ水平方向に流れ、台所の空間全域に亘って効率良く放出される。
【００３３】
したがって、台所の空間全域がマイナスイオンが優位の状態に保たれるので、居住者の身体に良い影響を与え、居住環境が好ましい。
【００３４】
また、案内羽根２０を上下揺動する電動モータ２６をレンジフードとは別のスイッチで駆動しても良いし、案内羽根２０を手動操作で上下に揺動しても良い。
【００３５】
【発明の効果】
第１の発明によれば、フード体１１の周囲にマイナスイオンが放出され、フード体１１の周囲の空気がマイナスイオン優位の状態となる。
【００３６】
これによって、フード体１１の周囲、つまり台所作業者の作業範囲が人体に良い影響を与える環境となるので、台所作業者は常に環境の良い場所で作業することが可能となる。
【００３７】
また、調理時に発生したオイルミストがマイナスイオンと結合して油の粘性を変化しなくなるので、調理器具、レンジフードにオイルミストが付着して生じた油が固着せずに簡単に除去できる。
【００３８】
また、浮遊するプラスイオン化された塵、埃等がマイナスイオンと結合し、その塵、埃等が浮遊状態を維持できずに落下して床に溜る。
【００３９】
これによって、台所作業者が呼吸によって塵、埃等を体内に取り入れることがなく、安心して作業できる。
【００４０】
また、案内羽根２０を下向き姿勢とすることでマイナスイオンがフード体１１に向けて流れ、フード体１１内に効率良くマイナスイオンを吸い込みされるので、レンジフード内部にオイルミスト付着で生じた油を容易に清掃できる。
【００４１】
また、案内羽根２０を水平姿勢とすることでマイナスイオンがほぼ水平に流れて台所空間全域に亘って放出され、台所空間全域がマイナスイオンが優位な状態となる。
【００４２】
したがって、レンジフード使用時にはマイナスイオンをフード体１１内に効率良く吸い込みさせてレンジフード内部に付着した油を容易に清掃できるし、レンジフード未使用時には台所空間全域が良い環境となり居住者にとって好ましい。
【００４３】
第２の発明によれば、レンジフードの運転、停止によって案内羽根２０が連動して下向き姿勢、水平姿勢となるから、その操作が簡単となる。
【図面の簡単な説明】
【図１】  本発明の実施の形態を示すレンジフード取付部分の側面図である。
【図２】  レンジフードの正面図である。
【図３】  本発明を詳細に示すレンジフード取付部分の側面図である。
【図４】  案内羽根の動作説明図である。
【図５】  案内羽根の揺動装置の説明図である。
【図６】  操作装置の説明図である。
【符号の説明】
１…調理器具、１０…レンジフード、１１…フード体、１２…送風機、１３…幕板、１４…マイナスイオン生成器、１５…天井、１６…吹出口、１７…床、２０…案内羽根、２２…作動杆、２４…アーム、２５…ピン、２６…電動モータ、３０…操作パネル、３１…運転スイッチ、３２…停止スイット、３３…コントローラ、３４…送風機用電動モータ。
【図１】
0003799739.tif 000002
【図２】
0003799739.tif 000003
【図３】
0003799739.tif 000004
【図４】
0003799739.tif 000005
【図５】
0003799739.tif 000006
【図６】
0003799739.tif 000007